(57)【要約】【課題】遊技領域を透視可能な保護部材の取り付けがより安全にかつ容易となる遊技機の提供を目的とする。【解決手段】枠体における保護部材配置側の上部には保護部材の上部を支持して保護部材１５１を吊り下げ状態に支持する吊り下げ支持部１２４が設けられた遊技機において、前記保護部材１５１の下部には下方へ突出した嵌合用突部１６７を備え、枠体における保護部材配置側の下部には嵌合用突部１６７が嵌合可能な溝部１２５が形成され、保護部材１５１が吊り下げ状態とされて嵌合用突部１６７が溝部１２５に嵌合する際に接触する嵌合用突部１６７の表面と溝部１２５の外壁面との少なくとも一方に、嵌合用突部１６７を溝部１２５方向へ案内する傾斜面１２７を形成した。【選択図】図１２
2009056064.tif 000002
【特許請求の範囲】
【請求項１】
遊技球が流下可能な遊技領域と、
前記遊技領域の前面側に配置され前記遊技領域を視認可能な開口部を有する枠体と、
前記枠体の前面側又は背面側に取り付けられて前記開口部を覆い前記開口部の位置で前記遊技領域を透視可能な保護部材と、
を備え、
前記枠体における前記保護部材配置側の上部には前記保護部材の上部を支持して前記保護部材を吊り下げ状態に支持する吊り下げ支持部が設けられた遊技機において、
前記保護部材の下部には下方へ突出した嵌合用突部を備え、
前記枠体における前記保護部材配置側の下部には前記嵌合用突部が嵌合可能な溝部が形成され、
前記保護部材が前記吊り下げ状態とされて前記嵌合用突部が前記溝部に嵌合する際に接触する前記嵌合用突部の表面と前記溝部の外壁面との少なくとも一方に、前記嵌合用突部を前記溝部方向へ案内する傾斜面が形成されていることを特徴とする遊技機。
【請求項２】
前記保護部材が前記枠体に吊り下げ状態とされて前記嵌合用突部と前記溝部が嵌合した状態で前記保護部材を前記枠体に固定する固定部を備え、
前記固定部は、前記枠体に設けられた係止部材と、前記保護部材に設けられ前記係止部材に係止される係止部とよりなることを特徴とする請求項１に記載の遊技機。
【請求項３】
前記保護部材は、透明部と前記透明部の周囲を囲む保護枠部とを有し、
前記保護枠部は、上部に前記吊り下げ支持部に支持される被支持部が設けられると共に下部に前記嵌合用突部が形成され、両側には前記保護部材を持ち上げる際の指掛け部が設けられていることを特徴とする請求項１に記載の遊技機。
【請求項４】
前記保護部材は、透明部と前記透明部の周囲を囲む保護枠部とを有し、
前記保護枠部は、前記係止部が複数設けられると共に、上部には前記吊り下げ支持部に支持される被支持部が設けられ、下部には前記嵌合用突部が設けられ、両側には前記保護部材を持ち上げる際の指掛け部が設けられていることを特徴とする請求項２に記載の遊技機。
【請求項５】
前記保護枠部の側面には凹部が形成され、
前記枠体には前記保護部材が吊り下げ状態とされて前記嵌合用突部と前記溝部が嵌合した状態で前記凹部に挿入される係止爪部が設けられていることを特徴とする請求項４に記載の遊技機。
【請求項６】
前記係止爪部は前記枠体に回動可能に設けられると共に、前記係止爪部を回動することで前記凹部に挿入される係合位置と前記凹部から外れた非係合位置とに変化するように構成され、
前記保護部材が前記枠体に正規の位置で固定されていない状態では前記係止爪部が前記係合位置へ回動困難となるように構成されていることを特徴とする請求項５に記載の遊技機。
【請求項７】
前記透明部は前記保護枠部の前面側と背面側とに取り付けられた２重構造となっていることを特徴とする請求項３から６の何れか一項に記載の遊技機。
【請求項８】
前記保護枠部と前記枠体の何れか一方には位置決め突起が設けられ、他方には前記嵌合用突部と前記溝部の嵌合状態で前記位置決め突起が挿入して係合する位置決め穴が設けられ、
前記位置決め穴は、前記嵌合用突部と前記溝部の嵌合状態から嵌合を解除可能な位置まで前記保護部材を上方へ移動させることが可能な長穴形状で形成されていることを特徴とする請求項３から７の何れか一項に記載の遊技機。
【発明の詳細な説明】
【技術分野】
【０００１】
本発明は、遊技領域を透視可能な保護部材を有する遊技機に関する。
【背景技術】
【０００２】
従来、パチンコ遊技機等の遊技機にあっては、遊技領域を透視可能な保護部材としてガラスユニットが取り付けられている。前記遊技機にガラスユニットを取り付ける方法としては、前記ガラスユニットを吊り下げておいて固定することにより、取り付け作業を容易にする方法が提案されている。
【０００３】
【特許文献１】特開２００７−２９４７６号公報
【発明の開示】
【発明が解決しようとする課題】
【０００４】
しかしながら、ガラスユニットを吊り下げただけでは不安定で固定するまでにガラスユニットが落下するなどのおそれがあることから、より安全にかつ容易にガラスユニットを取り付けることができる構造が求められている。
【０００５】
本発明は、前記の点に鑑みなされたものであって、遊技領域を透視可能な保護部材の取り付けがより安全にかつ容易となる遊技機の提供を目的とする。
【課題を解決するための手段】
【０００６】
請求項１の発明は、遊技球が流下可能な遊技領域と、前記遊技領域の前面側に配置され前記遊技領域を視認可能な開口部を有する枠体と、前記枠体の前面側又は背面側に取り付けられて前記開口部を覆い前記開口部の位置で前記遊技領域を透視可能な保護部材と、を備え、前記枠体における前記保護部材配置側の上部には前記保護部材の上部を支持して前記保護部材を吊り下げ状態に支持する吊り下げ支持部が設けられた遊技機において、前記保護部材の下部には下方へ突出した嵌合用突部を備え、前記枠体における前記保護部材配置側の下部には前記嵌合用突部が嵌合可能な溝部が形成され、前記保護部材が前記吊り下げ状態とされて前記嵌合用突部が前記溝部に嵌合する際に接触する前記嵌合用突部の表面と前記溝部の外壁面との少なくとも一方に、前記嵌合用突部を前記溝部方向へ案内する傾斜面が形成されていることを特徴とする。
【０００７】
請求項２の発明は、請求項１において、前記保護部材が前記枠体に吊り下げ状態とされて前記嵌合用突部と前記溝部が嵌合した状態で前記保護部材を前記枠体に固定する固定部を備え、前記固定部は、前記枠体に設けられた係止部材と、前記保護部材に設けられ前記係止部材に係止される係止部とよりなることを特徴とする。
【０００８】
請求項３の発明は、請求項１において、前記保護部材は、透明部と前記透明部の周囲を囲む保護枠部とを有し、前記保護枠部は、上部に前記吊り下げ支持部に支持される被支持部が設けられると共に下部に前記嵌合用突部が形成され、両側には前記保護部材を持ち上げる際の指掛け部が設けられていることを特徴とする。
【０００９】
請求項４の発明は、請求項２において、前記保護部材は、透明部と前記透明部の周囲を囲む保護枠部とを有し、前記保護枠部は、前記係止部が複数設けられると共に、上部には前記吊り下げ支持部に支持される被支持部が設けられ、下部には前記嵌合用突部が設けられ、両側には前記保護部材を持ち上げる際の指掛け部が設けられていることを特徴とする。
【００１０】
請求項５の発明は、請求項４において、前記保護枠部の側面には凹部が形成され、
前記枠体には前記保護部材が吊り下げ状態とされて前記嵌合用突部と前記溝部が嵌合した状態で前記凹部に挿入される係止爪部が設けられていることを特徴とする。
【００１１】
請求項６の発明は、請求項５において、前記係止爪部は前記枠体に回動可能に設けられると共に、前記係止爪部を回動することで前記凹部に挿入される係合位置と前記凹部から外れた非係合位置とに変化するように構成され、前記保護部材が前記枠体に正規の位置で固定されていない状態では前記係止爪部が前記係合位置へ回動困難となるように構成されていることを特徴とする。
【００１２】
請求項７の発明は、請求項３から６の何れか一項において、前記透明部は前記保護枠部の前面側と背面側とに取り付けられた２重構造となっていることを特徴とする。
【００１３】
請求項８の発明は、請求項３から７の何れか一項において、前記保護枠部と前記枠体の何れか一方には位置決め突起が設けられ、他方には前記嵌合用突部と前記溝部の嵌合状態で前記位置決め突起が挿入して係合する位置決め穴が設けられ、前記位置決め穴は、前記嵌合用突部と前記溝部の嵌合状態から嵌合を解除可能な位置まで前記保護部材を上方へ移動させることが可能な長穴形状で形成されていることを特徴とする。
【発明の効果】
【００１４】
請求項１の発明によれば、保護部材が吊り下げ状態とされて嵌合用突部が溝部に嵌合する際に接触する嵌合用突部の表面と溝部の外壁面との少なくとも一方に、嵌合用突部を溝部方向へ案内する傾斜面が形成されている構成からなるため、保護部材を吊り下げた状態で保護部材を自重により、あるいは押すことにより枠体側へ揺動させると、嵌合用突部の表面と溝部の外壁面の少なくとも一方の傾斜面によって嵌合用突部が溝部に容易に嵌合し、保護部材の下部が前記嵌合によって枠体に保持された状態となり、保護部材を安定して吊り下げた状態で容易に固定することが可能となる。
【００１５】
請求項２の発明によれば、保護部材が枠体に吊り下げ状態とされて嵌合用突部と溝部が嵌合した状態で保護部材を枠体に固定する固定部を備え、固定部は、枠体に設けられた係止部材と、保護部材に設けられ係止部材に係止される係止部とよりなるため、保護部材を吊り下げて嵌合用突部を溝部に嵌合させた安定した吊り下げ状態で容易に固定することが可能となると共に容易な構成で保護部材を構成することが可能となる。
【００１６】
請求項３の発明によれば、保護部材は、透明部と透明部の周囲を囲む保護枠部とを有し、保護枠部は、上部に吊り下げ支持部に支持される被支持部が設けられると共に下部に嵌合用突部が形成され、両側には保護部材を持ち上げる際の指掛け部が設けられていることから、透明部に触れないようにして保護部材を枠体に取り付けることが可能となり、透明部を手の脂等で汚してしまうようなことが無くなり、また保護部材の取り付けを容易に行うことが可能となる。
【００１７】
請求項４の発明によれば、保護部材は、透明部と透明部の周囲を囲む保護枠部とを有し、保護枠部は、係止部が複数設けられると共に、上部には前記吊り下げ支持部に支持される被支持部が設けられ、下部には嵌合用突部が設けられ、両側には保護部材を持ち上げる際の指掛け部が設けられていることから、透明部に触れないようにして保護部材を枠体に取り付けることが可能となり、透明部を手の脂等で汚してしまうようなことが無くなり、また保護部材の取り付けを容易に行うことが可能となると共に複数の係止部の存在によって、より強固に保護部材を枠体に固定することが可能となる。
【００１８】
請求項５の発明によれば、保護枠部の側面には凹部が形成され、枠体には保護部材が吊り下げ状態とされて嵌合用突部と溝部が嵌合した状態で凹部に挿入される係止爪部が設けられていることから、固定に必要なスペースを小さくでき、狭いスペースでも固定が可能となる。
【００１９】
請求項６の発明によれば、係止爪部は枠体に回動可能に設けられると共に、係止爪部を回動することで凹部に挿入される係合位置と凹部から外れた非係合位置とに変化するように構成され、保護部材が枠体に正規の位置で固定されていない状態では係止爪部が係合位置へ回動困難となるように構成されていることから、保護部材が正規の位置で固定されているかどうかを確認することが可能となり、正しく取り付けられて固定されていない等の不具合を発見し易くすることが可能となる。
【００２０】
請求項７の発明によれば、透明部は保護枠部の前面側と背面側とに取り付けられた２重構造となっていることから、保護部材をより強固に構成することが可能となる。
【００２１】
請求項８の発明によれば、保護枠部と枠体の何れか一方には位置決め突起が設けられ、他方には嵌合用突部と溝部の嵌合状態で位置決め突起が挿入して係合する位置決め穴が設けられ、位置決め穴は、嵌合用突部と溝部の嵌合状態から嵌合を解除可能な位置まで保護部材を上方へ移動させることが可能な長穴形状で形成されていることから、保護部材を取り付ける際に位置決めし易く、また取り外す際には保護部材を持ち上げる高さを位置決め突起と位置決め穴内周縁下部との衝突により規制することができ、保護部材を持ち上げすぎて他の遊技機部材と接触してしまうような不具合を防止することが可能となる。
【発明を実施するための最良の形態】
【００２２】
以下、添付の図面に基づき本発明の実施形態を説明する。図１は本発明の一実施例に係る遊技機全体を示す正面図、図２は同遊技機の分解背面斜視図、図３はガラス扉の斜視図、図４はガラス扉の分解斜視図、図５は背面側枠部材の斜視図、図６は溝部１２５付近のＡ部拡大斜視図、図７は溝部におけるＢ−Ｂ断面図、図８は背面側枠部材の部分斜視図、図９は係止部材の拡大斜視図、図１０は保護部材の斜視図、図１１は図１０のＣ−Ｃ断面図、図１２は保護部材の吊り下げ状態での取り付け時を示す斜視図、図１３は保護部材の吊り下げ状態での取り付け時を示す断面図、図１４は保護部材が取り付けられたガラス扉の背面図、図１５は係止部材による固定時を示すガラス扉の部分背面図、図１６は係止部材の開放位置係止部への係止時を示す断面図、図１７は凹部への係止部材の挿入時を示す部分斜視図、図１８は保護部材の取り外し時を示すガラス扉の背面図である。
【００２３】
図１及び図２に示す遊技機１は、遊技媒体として遊技球を用いるパチンコ遊技機であって、木製あるいは合成樹脂製の外枠Ｆ１と、前記外枠Ｆ１の一側に開閉自在に軸着された合成樹脂製の前面枠体Ｆ２と、前記前面枠体Ｆ２の裏側（背面側）に遊技盤用開口部Ｆ２１を塞ぐようにして取り付けられた遊技盤２と、前記前面枠体Ｆ２における遊技盤２の裏側に取り付けられた機構板Ｆ３と、前記前面枠体Ｆ２の前側（遊技者側）に前記遊技盤用開口部Ｆ２１を覆うようにして開閉可能に取り付けられたガラス扉Ｆ４とよりなる。
【００２４】
前記前面枠体Ｆ２の遊技盤用開口部Ｆ２１は、遊技盤２の遊技領域６が配置される部分であり、前面枠体Ｆ２の略上半部を占めている。前記前面枠体Ｆ２の左側上下には取付け部７１，７２が形成されている。前記前面枠体Ｆ２の取付部７１，７２には、前記外枠Ｆ１の左側上下に設けられている軸７３，７４が挿入されることにより、前面枠体Ｆ２が外枠Ｆ１の前面側に回動開閉可能に取り付けられる。また、前記前面枠体Ｆ２の取付部７１，７２にはガラス扉Ｆ４の左側の上部７５と下部７６が取り付けられて、ガラス扉Ｆ４が前面枠体Ｆ２の前面側で回動開閉可能とされる。前記前面枠体Ｆ２の右下部には発射装置６４が取り付けられている。前記発射装置６４は、操作レバー６５の操作により駆動する発射モータを裏側に有し、該発射モータの駆動により遊技球を弾発発射するようになっている。
【００２５】
前記遊技盤２の前面側は、前記前面枠体Ｆ２の遊技盤用開口部Ｆ２１と対応する部分が遊技領域６とされて外側誘導レール３及び内側誘導レール４によって区画されている。前記外側誘導レール３及び内側誘導レール４は、前記遊技盤２の前面に略円形に配置され、前記発射装置６４により発射された遊技球が前記外レール３及び内レール４間を通って遊技領域６に誘導されるように構成されている。前記遊技領域６には、中心線上の上部から下部に向かって順に表示装置１０、始動入賞口４２、大入賞口４５、アウト口４９が配置されている。前記始動入賞口４２及び前記大入賞口４５の左右には左袖入賞口５１、右袖入賞口５２、左落とし入賞口５３、右落とし入賞口５４が配置されている。また、前記表示装置１０の左右には普通図柄変動開始用ゲート５５、５６、その上方にはランプ風車７４，７５、下方には風車７６，７７が設けられている。なお、前記遊技領域６には、前記遊技領域６に打ち込まれた遊技球を誘導する複数の釘（図示せず）が所要位置に立設されている。
【００２６】
前記表示装置１０は、文字又は図柄等の画像を変動表示可能なものであって、液晶，ドットマトリックス若しくはＬＥＤ表示装置等の表示装置からなり、この実施例では、液晶表示器（ＴＦＴ−ＬＣＤモジュール）で構成され、左下に普通図柄表示部５０が組み込まれ、その他の大部分が特別図柄表示部１１となっている。
【００２７】
前記特別図柄表示部１１では、左特別図柄（左判定図柄）、中特別図柄（中判定図柄）、右特別図柄（右判定図柄）が、それぞれ変動表示し、所定時間変動表示した後、判定結果に基づき左確定特別図柄、中確定特別図柄、右確定特別図柄が確定判定図柄として停止表示される。なお、この実施例における左特別図柄（左判定図柄）、中特別図柄（中判定図柄）、右特別図柄（右判定図柄）は、それぞれ『１，２，３，４，５，６，７，８』の８通りの図柄とされ、大当たりか否かの当否判定結果が大当たり（当たり）の場合には、前記特別図柄表示部１１に大当たり図柄、この例では『１，１，１』（いわゆる‘１’のぞろ目）や『２，２，２』（いわゆる‘２’のぞろ目）等、同一数字の組合せ）で特別図柄（判定図柄）が停止表示され、遊技者に有利な特典を付与する大当たり遊技（特別遊技）に移行する。なお、遊技者に有利な特典は、本実施例では、遊技者による遊技球の獲得し易さ増大に設定されている。
【００２８】
前記普通図柄表示部５０は、記号或いは絵（キャラクタ）等の小当たり判定用普通図柄を変動表示及び停止表示する。本実施例における普通図柄表示部５０に変動及び停止表示される普通図柄は、『０，１，２，３，４，５，６，７，８，９』の１０通りの図柄とされている。前記普通図柄は、小当たり普通図柄、この例では奇数で停止すると、小当たりとなる。
【００２９】
前記始動入賞口４２は、２つの可動片４２ａ，４２ｂが背面の始動入賞口用ソレノイドによって略垂直で遊技球の入賞（入球）し難い狭小開放状態（通常状態）と略Ｖ字形（逆ハの字形）の入賞し易い拡開開放状態間を変化可能に制御されている。前記始動入賞口４２の拡開開放は、前記普通図柄表示部５０で普通図柄が変動した後特定の普通図柄（本実施例では奇数）で確定停止表示されて小当たり（普通図柄当たり）が成立した時に行われる。
【００３０】
また、前記遊技盤２の背面には、始動入賞口検出スイッチ（始動入賞口センサ）が入賞球用通路に設けられており、前記始動入賞口４２への遊技球の入賞（入球）を検出するように構成されている。
【００３１】
前記普通図柄変動開始用ゲート５５，５６は、前記遊技盤２の背面に設けられた普通図柄変動開始スイッチで普通図柄変動開始用ゲート５５，５６を通過する遊技球を検出することによって前記普通図柄表示部５０で普通図柄の変動を開始させるようになっている。また、前記左袖入賞口５１と右袖入賞口５２の入賞球を検出する左袖入賞口用検出スイッチと右袖入賞口用検出スイッチ、前記左落とし入賞口５３と右落とし入賞口５４の入賞球を検出する左落とし入賞口用検出スイッチと右落とし入賞口用検出スイッチが、それぞれ対応する遊技盤背面に設けられている。
【００３２】
前記大入賞口４５は、前記遊技盤２の背面に設けられた大入賞口開放用ソレノイドによって開閉する開閉板４６を備えている。この大入賞口４５は、通常は開閉板４６が閉じた状態とされ、当該大入賞口４５内の一部には、大入賞口４５が開いた際に開口して入賞可能にする特定領域入賞口４７を有する。さらに、特定領域入賞口４７には、所定条件時に特定領域開放用ソレノイドにより開閉される開閉扉が設けられている。また、前記特定領域入賞口４７には特定入賞球を検出する特定入賞球検出スイッチ（特定領域センサ）が設けられ、入賞球の検出により大入賞口４５を再度開ける継続権利が成立し、本実施例では最高１５ラウンド繰り返し可能にされている。また、前記大入賞口４５内の略中央には、大入賞口４５に入賞し、かつ前記特定領域入賞口４７に入賞しなかった入賞球を検出する入賞球数カウントスイッチ（カウントセンサ）が設けられている。
【００３３】
前記発射装置６４により発射された遊技球は、前記遊技盤２の前面に立設された内側誘導レール４と外側誘導レール３間で構成される発射球誘導路を介して遊技領域６に誘導され、前記遊技領域６を転動しつつ下方へ落下し、前記各装置及び各入賞口に入賞するか、或いは何処にも入賞しなければ前記アウト口４９から遊技盤２の裏側へ排出される。
【００３４】
前記遊技領域６に発射された遊技球が、前記種々の入賞口に入賞すると入賞口に応じた所定数の遊技球が賞球として払い出される。また、前記普通図柄変動開始用ゲート５５，５６を遊技球が通過すると、普通図柄当たり判定・普通図柄決定用乱数値が取得され、その取得乱数値に基づいて普通図柄の当たり（小当たり）判定および停止普通図柄の決定が行われ、前記普通図柄表示部５０で普通図柄が変動を開始し、所定時間変動後に停止する。その際、前記普通図柄の当たり判定結果が小当たりの場合には、小当たり普通図柄、この例では奇数で停止し、前記始動入賞口４２の２つの可動片４２ａ，４２ｂが背面の始動入賞口用ソレノイドによって略垂直で入賞し難い狭小開放状態（通常状態）から略Ｖ字形（逆ハの字形）の入賞し易い拡開開放状態に変化し、遊技球が入賞し易くなる。そして、前記始動入賞口４２に遊技球が入賞すると、所定数の遊技球が賞球として払い出される。
【００３５】
また、前記始動入賞口４２に遊技球が入賞すると、大当たり判定用乱数値及び大当たり図柄決定用乱数値、外れ図柄決定用乱数値等が取得され、前記取得された大当たり判定用乱数値に基づいて大当たりの当否判定が行われ、前記特別図柄表示部１１で特別図柄（判定図柄）が変動を開始し、所定時間変動後にそれぞれ大当たり図柄決定用乱数値あるいは外れ図柄決定用乱数値に基づく特別図柄で停止表示される。
【００３６】
前記大当たりの当否判定結果が当たりの場合には、前記特別図柄表示部１１に大当たり図柄（大当たり判定図柄）、この例では『１，１，１』（いわゆる‘１’のぞろ目）や『２，２，２』（いわゆる‘２’のぞろ目）等、同一数字の組合せ）で停止表示され、大当たり遊技（特別遊技）に移行する。一方、外れの場合には、外れ図柄決定用乱数値に基づく外れ図柄、すなわち、ぞろ目以外の図柄が表示される。
【００３７】
大当たりとなって大当たり遊技（特別遊技）状態になると、前記大入賞口４５の開閉板４６が開いて遊技領域６の表面を落下してくる遊技球を受け止め易くして、大入賞口４５へ入賞可能にし、該大入賞口４５への入賞があると、所定数の遊技球が賞球として払い出される。前記開閉板４６は、所定時間（例えば２９．５秒）経過後、或いは入賞球数が所定個数（例えば１０個）となった時点で閉じるようにされている。また、前記大入賞口４５の開放中又は大入賞口４５が閉じてから約２秒以内に、大入賞口内の特定領域入賞口４７への入賞球が検出されると、前記大当たりを再度繰り返す継続権利が発生し、所定最高ラウンド数（例えば最高１５ラウンド）、前記開閉板４６の開放を繰り返すようになっている。
【００３８】
前記機構板Ｆ３は、遊技の制御等のための主制御基板や表示制御基板、ランプ制御基板、音声制基板、発射制御基板、電源基板等の各種制御基板や、遊技球払出装置等の装置類が裏側等に取り付けられ、それらのいくつかは裏カバー２００Ａで覆われている。なお、主制御基板は遊技に関わる主制御を行い、表示制御基板は画像の制御を行い、ランプ制御基板はランプ装置の制御を行い、音声制御基板は音声の制御を行い、発射制御基板は遊技球の発射装置に関する制御を行い、電源基板は各種基板や装置等に合わせた電源を供給し制御する。符号２００は主制御基板、２４０は払出制御基板、２５０は電源基板、２６０は発射制御基板である。なお、他の制御基板は前記裏カバー２００Ａで覆われている。また、符号２８１は遊技球払出装置であり、払出モータが回転することにより、回転球受け体（例えばスクリュー形式のもの）を回転し、回転球受け体の球受部に受け入れた遊技球を回転球受体の回転により球送りして１球ずつ排出する公知のものである。また、符号２８９は遊技店の遊技球供給装置からの遊技球を溜める球貯留タンクである。
【００３９】
前記ガラス扉Ｆ４は、図３及び図４に示すように、ガラス枠体１０１と保護部材１５１とよりなる。前記ガラス枠体１０１は、本発明の枠体に相当し、前記遊技盤２の遊技領域６を視認可能な開口部１０２を有する。一方、前記保護部材１５１はガラスユニットとも称されるものであって、前記ガラス枠体１０１の背面側に取り付けられる。
【００４０】
前記ガラス枠体１０１は、本実施例では、前面側枠部材１１１と背面側枠部材１２１とよりなり、ビス等で一体に組み合わされている。前記前面側枠部材１１１は前記ガラス枠体１０１の前面側部材を構成し、前記開口部１０２の前面側を構成する前面側開口部１１２が形成されていると共に、前面側開口部１１２の上方に効果音等を発するスピーカ３４、演出用の装飾ランプ３５が設けられている。また、前記前面側開口部１１２の下方には払い出された遊技球を受けるための上側球受け部３６と、該上側球受け部３６の満杯時に遊技球を受けるための下側球受け部３７が設けられている。一方、前記背面側枠部材１２１は、前記ガラス枠体１０１の背面側枠部材を構成し、前記開口部１０２の背面側を構成する背面側開口部１２２が形成されている。
【００４１】
前記背面側枠部材１２１の背面１２３（すなわち前記ガラス枠体１０１の背面）の上部には、図５に示すように、前記背面側開口部１２２の真上に吊り下げ支持部１２４が形成されている。すなわち前記ガラス枠体（本発明における枠体）１０１における前記保護部材１５１の配置側である背面側の上部には、前記開口部１０２の真上に吊り下げ支持部１２４が形成されている。前記吊り下げ支持部１２４は、本実施例では物を引っかけて吊り下げることが可能なＬ字形のフック状からなり、水平方向に所定間隔離れた２箇所に形成されている。なお、本実施例における前記Ｌ字形の吊り下げ支持部１２４は、前記背面側枠部材１２１の背面１２３上部に取り付けられた金属板１２１Ａの一部を切り起こして形成されたフック片で構成されている。
【００４２】
また、前記背面側枠部材１２１の背面１２３の下部には、前記背面側開口部１２２の下方に、溝部１２５が水平方向に所定間隔離れて２箇所形成されている。すなわち、前記ガラス枠体（本発明における枠体）１０１における前記保護部材１５１の配置側である背面側には、前記開口部１０２の下方に溝部１２５が上向きに形成されている。図６は溝部１２５付近のＡ部拡大図、図７は溝部１２５におけるＢ−Ｂ断面図である。前記溝部１２５は、後述の保護部材１５１の嵌合用突部１６７が嵌合可能に形成されており、前記嵌合用突部１６７が嵌合する際に前記嵌合用突部１６７と接触する外壁面１２６ａには前記嵌合用突部１６７を前記溝部１２５方向へ案内する傾斜面１２７が形成されている。前記傾斜面１２７は、前記溝部１２５の外側起立壁１２６の外壁面１２６ａにおける上端角部が所定角度で面取りされた傾斜面で構成されている。また、本実施例では、前記溝部１２５は２箇所に分かれて形成されているが、所定長の横長な１つの溝で構成されていてもよい。また、本実施例では、前記背面側枠部材１２１の背面１２３には、前記溝部１２５における外側起立壁１２６と対向する位置に、成形性の点から穴１２８が形成されているが、穴１２８は無くてもよい。なお、本実施例では、前記背面側枠部材１２１の前面下部には補強用金属板１２９がビス等で固定されている。
【００４３】
さらに、図４、図５に示すように、前記背面側枠部材１２１の背面１２３には、前記背面側開口部１２２の周縁に係止部材１３１が所定箇所に設けられている。すなわち、前記ガラス枠体（本発明における枠体）１０１における前記保護部材１５１の配置側である背面側には、前記開口部１０２の周縁に係止部材１３１が複数箇所設けられている。本実施例では前記背面側枠部材１２１の背面１２３における前記背面側開口部１２２の周縁の上部左右に２箇所と、下部左側に１箇所の計３箇所に前記係止部材１３１が設けられている。図８は前記背面側枠部材１２１の背面１２３における左上部を示す図、図９は前記背面側枠部材１２１の背面１２３における右上部に設けられている係止部材１３１を前面側から見た斜視図である。前記係止部材１３１は、回動可能な回動係止片からなり、長さ方向一端側がビス等の軸部材１３４で前記背面側枠部材１２１の背面１２３に回動可能に取り付けられている。
【００４４】
前記係止部材１３１は、前記背面側枠部材１２１の背面１２３、すなわち前記ガラス枠体１０１の背面に配置された（すなわち嵌合用突部１６７と溝部１２５が嵌合した状態の）保護部材１５１を固定する固定位置（図１５のＥの位置）と、前記背面側枠部材１２１の背面１２３、すなわち前記ガラス枠体１０１の背面に保護部材１５１が取り付けられる（配置される）のを妨げない開放位置（図１５のＤの位置）とに回動可能とされている。前記係止部材１３１は、前記固定位置で前記保護部材１５１と接触する固定部分１３２と、回動操作のための回動用操作部分１３５を有する。前記固定部分１３２は、前記係止部材１３１において前記軸部材１３１とは反対端部側の部分であって前記背面側枠部材１２１の背面１２３と対向する側で構成されている。前記固定部分１３２には、前記固定位置で前記保護部材１５１と接触する突起１３３が形成されている。本実施例における前記突起１３３は、半球状からなる。前記突起１３３を半球状としたことにより、後述するように係止部材１３１が保護部材１５１の係止部１６９，１７５に係止して係止部１６９，１７５を背面側枠部材１２１の背面１２３とで挟持する際に、前記係止部材１３１が係止部１６９，１７５に乗り上げ易くなって前記係止及び挟持がし易くなる効果が得られると共に、後述のように固定位置（図１５のＥ位置）から開放位置（図１５のＤ位置）へ係止部材１３１を回動させて開放位置に係止部材１３１を係止する際に、及びその逆に回動させて開放位置での係止を解除する際に、前記突起１３３が開放位置係止部１３６，１３８に乗り上げ易くあるいは乗り越え易くなって開放位置での係止及び係止解除を容易に行える効果が得られる。一方、前記回動用操作部分１３５は、前記固定部分１３２とは反対側の面に形成されたつまみ状突部で構成され、手でつまんで前記係止部材１３１を前記固定位置と開放位置とに回動可能に構成されている。
【００４５】
また、前記背面側枠部材１２１の背面１２３には、すなわち前記ガラス枠体１０１の背面には、前記係止部材１３１を開放位置で係止する開放位置係止部１３６，１３８が形成されている。前記開放位置係止部１３６，１３８は、前記係止部材１３１の係止及び係止解除可能に構成されている。本実施例では、前記背面側枠部材１２１の背面１２３において前記背面側開口部１２２の左右上方に設けられた開放位置係止部１３６は、図８に示すように、前記係止部材１３１の突起１３３（図９に示す）が嵌合可能な凹部１３７を、前記係止部材１３１の固定部分１３２と対向する側に有するリブ状片からなる。前記開放位置係止部１３６への前記係止部材１３１の係止は、前記係止部材１３１を固定位置（図１５のＥ位置）から開放位置（図１５のＤ位置）へ回動させる際に、前記係止部材１３１を幾分強く回動させることにより、図１６の（１６−Ａ）〜（１６−Ｃ）に示すように、前記係止部材１３１の突起１３３が前記開放位置係止部１３６に乗り上げて前記凹部１３７に嵌ることに行われる。この係止によって、前記係止部材１３１は、開放位置に保持される。また、前記係止部材１３１を開放位置（図１５のＤ位置）から固定位置（図１５のＥ位置）側へ幾分強く回動させると、前記係止部材１３１の突起１３３が前記開放位置係止部１３６の凹部１３７の端を乗り越えて係止が解除され、固定位置（図１５のＥ位置）まで前記係止部材１３１を回動させることが可能となる。
【００４６】
一方、前記背面側開口部１２２の左下方に設けられている開放位置係止部１３８は、図５に示すように、ピン状のもので構成されている。前記開放位置係止部１３８への前記係止部材１３１の係止は、前記係止部材１３１を固定位置から開放位置へ回動する際に、幾分強く回動させることにより、前記係止部材１３１の突起１３３がピン状の開放位置係止部１３８を乗り越えて開放位置係止部１３８と、前記背面側枠部材１２１の下端周縁に形成されている下側外周リブ１３９との間に嵌ることにより行われる。また、前記背面側開口部１２２の左下方に位置する前記係止部材１３１を、開放位置から固定位置側へ幾分強く回動させると、前記係止部材１３１の突起１３３が前記ピン状の開放位置係止部１３８を乗り越えて係止が解除され、固定位置まで前記係止部材１３１を回動させることが可能となる。
【００４７】
また、図３〜図５、図１４及び図１７〜図１８に示すように、前記背面側枠部材１２１の背面には、すなわち前記ガラス枠体１０１の背面には、係止爪部１４１が設けられている。本実施例では、前記背面側開口部１２２（すなわち前記開口１０２）の右下方に係止爪部１４１が回動可能に設けられている。前記係止爪部１４１は略「く」の字に屈曲した係止片で構成され、屈曲中央位置で前記背面側枠部材１２１の背面１２３に軸着され、一方向への回動により一端側１４２が前記背面側開口部１２２に接近して後述の保護枠部１６１の凹部１７３に挿入される係合位置と、反対方向への回動により前記一端側１４２が前記背面側開口部１２２から遠ざかって後述の保護枠部１６１の凹部１７３から外れた非係合位置とに変化可能に構成されている。前記係止爪部１４１の一端側１４２は、後述の保護枠部１６１の凹部１７３へ挿入される挿入部である。なお、前記係止爪部１４１の他端側には、前記係止爪部１４１を手で回動させる際のつまみ部として利用される操作部１４３が形成されている。また、前記係止爪部１４１は非係合位置では前記保護部材１５１が前記ガラス枠体１０１へ取り付けられる（配置される）のを妨げないように構成されている。
【００４８】
さらに、図５、図８、図１２、図１４〜図１５及び図１８に示すように、前記背面側枠部材１２１の背面には、すなわち前記ガラス枠体１０１の背面には、位置決め突起１４７が設けられている。本実施例では、前記背面側開口部１２２（すなわち前記開口１０２）の左右上部において、前記係止部材１３１の回動を妨げず、かつ後述する保護枠部１６１の外周面に形成されている係止部１６９が配置される位置に、前記位置決め突起１４７がピン状に設けられている。
【００４９】
前記保護部材１５１は、前記ガラス枠体１０１の背面側に取り付けられて（配置されて）前記開口部１０２を覆うと共に前記開口部１０２の位置で前記遊技盤２の遊技領域６を透視可能なものであり、図１０に示すように、透明部１５２と前記透明部１５２の周囲を囲む保護枠部１６１とよりなる。
【００５０】
前記透明部１５２は、透明なガラス板あるいは透明な合成樹脂板からなり、前記遊技領域６と等しいあるいは僅かに大きな略円形からなる。図１１に示すように、前記透明部１５２は２枚で構成され、透明部１５２間の隙間を空けて前記保護枠部１６１の前面側と背面側に取り付けられた２重構造とされている。
【００５１】
前記保護枠部１６１は、合成樹脂製からなり、前記透明部１５２の外周を包囲する形状からなる。前記保護枠部１６１の内周面には、図１１に示すように、中央部に透明部固定用突部１６２が形成され、前記透明部固定用突部１６２の前面側と背面側に前記透明部１５２が接着剤等で固定される。また、図１０に示すように、前記保護枠部１６１の外周面の上部には所定幅の吊り下げ基部１６３が真上に突出して設けられている。前記吊り下げ基部１６３の幅は、前記背面側枠部材１２１（前記ガラス枠体１０１）における前記吊り下げ支持部１２４間の間隔より僅かに小とされ、前記吊り下げ基部１６３の上端両側には吊り下げ係止部１６５が突出して形成されている。前記吊り下げ係止部１６５は、本発明において前記吊り下げ支持部１２４に支持される被支持部に相当する。前記吊り下げ係止部（被支持部）１６５は、下面側が円弧面とされた半円柱形状で構成され、図１２に示すように、前記吊り下げ支持部１２４に前記吊り下げ係止部１６５が係止されて前記保護部材１５１が吊り下げられた状態で、前記保護部材１５１が前記背面側枠部材１２１（前記ガラス枠体１０１）側へ回動して所定位置に取り付けられる（配置される）のを容易にしている。
【００５２】
前記保護枠部１６１の外周下端には、前記背面側枠部材１２１の背面１２３（ガラス枠体１０１の背面）に形成されている溝部１２５と対応する位置に嵌合用突部１６７が下向きに突出形成されている。前記嵌合用突部１６７は、前記溝部１２５に嵌合可能な大きさで形成されている。また、前記嵌合用突部１６７は、図１２及び図１３の（１３−Ａ）のように、前記吊り下げ支持部１２４に前記吊り下げ係止部１６５が係止されて前記保護部材１５１が前記背面側枠部材１２１の背面１２３（ガラス枠体１０１の背面）に吊り下げられた際に、前記溝部１２５の外壁面１２６ａに形成されている傾斜面１２７と前記嵌合用突部１６７の下端１６７ａが当接する上下寸法で形成されている。前記嵌合用突部１６７を前記溝部１２５へ嵌合させるには、前記吊り下げ状態とした後、図１３の（１３−Ａ）のように、前記保護部材１５１の下部を前記背面側枠部材１２１の背面１２３（ガラス枠体１０１の背面）から少し離れた位置にし、その位置から前記保護部材１５１を自重により前記背面側枠部材１２１の背面１２３（ガラス枠体１０１の背面）側へ揺動させる。前記揺動により、前記嵌合用突部１６７が前記溝部１２５の外壁面１２６ａに形成されている傾斜面１２７に衝突して前記傾斜面１２７を乗り越え、図１３の（１３−Ｂ）のように、前記溝部１２５内に案内されて嵌合する。なお、前記保護部材１５１を自重で揺動させるのに代えて、前記吊り下げ状態において前記嵌合用突部１６７を前記溝部１２５の傾斜面１２７に当接した状態とし、その状態で前記保護部材１５１の下部を前記背面側枠部材１２１の背面１２３（ガラス枠体１０１の背面）側へ押すことにより、前記保護部材１５１を前記背面側枠部材１２１の背面１２３（ガラス枠体１０１の背面）側へ揺動させてもよい。
【００５３】
また、図４、図１０、図１２及び図１４に示すように、前記保護枠部１６１の外周面には左右上部に係止部１６９、左下部に係止部１７５が設けられている。前記係止部１６９，１７５は、前記背面側枠部材１２１の背面１２３、すなわち前記ガラス枠体１０１の背面に設けられている前記係止部材１３１に固定位置（図１５のＥ位置）で係止されるものである。前記係止部材１３１と前記係止部１６９，１７５とは本発明の固定部１８０を構成する。本実施例では、前記係止部１６９，１７５は、前記保護枠部１６１の外周面から突出した板状の係止片で構成され、前記保護部材１５１が前記吊り下げ状態とされて前記嵌合用突部１６７が前記背面側枠部材１２１（ガラス枠体１０１）の溝部１２５に嵌合した状態で、図１４及び図１５に示すように、前記係止部材１３１が開放位置（図１５のＤ位置）から固定位置（図１５のＥ位置）へ回動されることにより、前記背面側枠部材１２１（ガラス枠体１０１）と前記係止部材１３１とで前記係止部１６９，１７５が挟持される構成となっている。前記係止部１６９，１７５には、図１２、図１５及び図１８に示すように、前記係止部材１３１が固定位置（図１５のＥ位置）まで回動した際に前記係止部材１３１の突起１３３が嵌って係止する穴または凹部からなる嵌合部１７０，１７６が形成されている。
【００５４】
前記保護枠部１６１の外周面における左右上部に形成された係止部１６９には、前記嵌合用突部１６７と前記溝部１２５の嵌合状態で前記位置決め突起１４７が挿入して係合する位置決め穴１７１が形成されている。図１４及び図１５には前記位置決め突起１４７が位置決め穴１７１に挿入されて係合した状態を示す。前記位置決め突起１４７が位置決め穴１７１に挿入されて係合することにより、前記保護部材１５１が前記背面側枠部材１２１（ガラス枠体１０１）における正しい位置に容易に位置決め可能となる。また、図１８に示すように、前記位置決め穴１７１は、前記嵌合用突部１６７と前記溝部１２５の嵌合状態から嵌合を解除可能な位置まで前記保護部材１５１を上方へ移動させることが可能な長穴形状で形成されている。そのため、前記保護部材１５１をガラス枠体１０１から外す際には、前記係止部材１３１を開放位置（図１５のＤ位置）まで回動させると共に、前記係止爪部１４１を非係合位置へ回動させた状態で、前記保護部材１５１を持ち上げ、前記位置決め穴１７１の内周縁下部に前記位置決め突起１４７が衝突するまで前記保護部材１５１を上方へ移動させれば、容易に前記嵌合用突部１６７と前記溝部１２５の嵌合を解除して保護部材１５１をガラス枠体１０１から外すことが可能となる。また、前記保護部材１５１を持ち上げて前記ガラス枠体１０１から外す際には、持ち上げ量（上方移動量）が前記位置決め穴１７１により規制されるため、前記保護部材１５１を持ち上げすぎて遊技機の他の部材に透明部１５２をぶつけることにより、透明部１５２に傷付きが発生したり破損したりするのを防ぐことが可能となる。
【００５５】
前記保護枠部１６１の外側側面には、図１７に示すように、前記背面側枠部材１２１の背面１２３（前記ガラス枠体１０１の背面）に設けられている前記係止爪部１４１が係合位置へ回動した際に係止爪部１４１の一端側１４２が挿入されて係合する凹部１７３が形成されている。本実施例では、前記保護枠部１６１の外周側面における右下部に前記凹部１７３が形成されている。また、前記凹部１７３と前記係止爪部１４１は、前記保護部材１５１が前記背面側枠部材１２１の背面１２３（前記ガラス枠体１０１の背面）に正規の位置で固定されていない状態では、前記係止爪部１４１が前記係合位置へ回動困難となるように構成されている。本実施例においては、前記保護部材１５１が前記背面側枠部材１２１の背面１２３（前記ガラス枠体１０１の背面）に正規の位置で固定された状態では、前記係止爪部１４１の回動により係止爪部の一端側１４２を前記凹部１７３に挿入することができ、一方、前記保護部材１５１が前記背面側枠部材１２１の背面１２３（前記ガラス枠体１０１の背面）に正規の位置で固定されていない状態、すなわち、前記嵌合用突部１６７と前記溝部１２５の非嵌合状態や、前記位置決め突起１４７と位置決め穴１７１の非係合状態等の場合には、前記係止爪部１４１を係合位置へ回動させようとしても、前記保護枠部１６１の外周面における前記凹部１７３以外の部分に前記係止爪部１４１の一端側１４２が衝突して前記係合位置への回動が困難となるように、前記凹部１７３の大きさ及び前記凹部１７３に挿入される前記係止爪部１４１の一端側１４２の大きさが、余裕の少ないものとされている。
【００５６】
また、前記保護枠部１６１には、図１０及び図１８等に示すように、両側に前記保護部材１５１を持ち上げる際の指掛け部１７７が形成されている。前記保護部材１５１はガラス板等からなる透明部１５２の存在によって重くなっているため、前記保護部材１５１を持ち上げる際に手が滑らないように、前記指掛け部１７７には指を引っ掛けることが可能な貫通穴１７８が形成されている。なお、前記指掛け部１７７は、本実施例では前記保護枠部１６１における上部の左右両側に形成されて、バランス良く保護部材１５１を持ち上げることが可能となっているが、前記指掛け部１７７の位置は、前記保護枠部１６１の上部に限定されるものではなく、中央部の両側（左右）等であってもよい。なお、前記保護部材１５１をガラス枠体１０１から外す際には、前記係止爪部１４１を非係合位置へ回動させると共に、前記係止部材１３１を開放位置へ回動させた後に、前記指掛け部１７７に指を引っかけて保護部材１５１を持ち上げ、前記嵌合用突部１６７と溝部１２５の嵌合を解除する。
【００５７】
本実施例では、前記保護部材を前記ガラス枠体の背面側に取り付ける構成としたが、前記保護部材をガラス枠体の前面側に取り付けるようにしてもよい。また、本実施例では、前記嵌合用突部を溝部方向へ案内する傾斜面を溝部側に形成したが、前記嵌合用突部の表面に傾斜面を形成したり、あるいは溝部側と嵌合用突部側の両方に形成したりしてもよい。さらに、本実施例では、前記ガラス枠体側に位置決め突起を設ける一方、前記保護枠部側に位置決め穴を設けたが、その逆に設けてもよい。さらにまた、本実施例では、保護枠部における固定部の係止部に前記位置決め穴を設けたが、前記位置決め穴の位置は前記係止部に限定されるものではなく、他の位置に設けてもよい。
【００５８】
本実施例の構成をまとめると、以下のとおりである。
（１）遊技球が流下可能な遊技領域と、
前記遊技領域の前面側に配置され前記遊技領域を視認可能な開口部を有する枠体と、
前記枠体の前面側又は背面側に取り付けられて前記開口部を覆い前記開口部の位置で前記遊技領域を透視可能な保護部材と、
を備え、
前記枠体における前記保護部材配置側の上部には前記保護部材の上部を支持して前記保護部材を吊り下げ状態に支持する吊り下げ支持部が設けられた遊技機において、
前記保護部材の下部には下方へ突出した嵌合用突部を備え、
前記枠体における前記保護部材配置側の下部には前記嵌合用突部が嵌合可能な溝部が形成され、
前記保護部材が前記吊り下げ状態とされて前記嵌合用突部が前記溝部に嵌合する際に接触する前記嵌合用突部の表面と前記溝部の外壁面との少なくとも一方に、前記嵌合用突部を前記溝部方向へ案内する傾斜面が形成されていることを特徴とする遊技機。
（２）前記保護部材が前記枠体に吊り下げ状態とされて前記嵌合用突部と前記溝部が嵌合した状態で前記保護部材を前記枠体とで挟持固定する固定部を備え、
前記固定部は、前記枠体に設けられた係止部材と、前記保護部材に設けられ前記係止部材と前記枠体とで挟持される係止部とよりなり、
前記係止部材は、前記保護部材の係止部を前記枠体とで挟持固定する固定位置と、前記保護部材が前記枠体に取り付けられるのを妨げない開放位置とに回動可能にされると共に、前記固定位置で前記保護部材の係止部と接触する固定部分と、回動用操作部分とを有し、
前記固定部分には前記固定位置で前記保護部材の係止部と接触する突起が形成され、前記枠体には前記開放位置で前記突起と係合して前記係止部材を前記開放位置に係止する開放位置係止部が設けられていることを特徴とする（１）に記載の遊技機。
（３）前記保護部材は、透明部と前記透明部の周囲を囲む保護枠部とを有し、
前記保護枠部は、上部に前記吊り下げ支持部に支持される被支持部が設けられると共に下部に前記嵌合用突部が形成され、両側には前記保護部材を持ち上げる際の指掛け部が設けられていることを特徴とする（１）に記載の遊技機。
（４）前記保護部材は、透明部と前記透明部の周囲を囲む保護枠部とを有し、
前記保護枠部は、前記係止部が複数設けられると共に、上部には前記吊り下げ支持部に支持される被支持部が設けられ、下部には前記嵌合用突部が設けられ、両側には前記保護部材を持ち上げる際の指掛け部が設けられていることを特徴とする（２）に記載の遊技機。
（５）前記保護枠部の側面には凹部が形成され、
前記枠体には前記保護部材が吊り下げ状態とされて前記嵌合用突部と前記溝部が嵌合し、前記保護部材の係止部が前記係止部材と前記枠体とで挟持固定された状態で前記凹部に挿入される係止爪部が設けられていることを特徴とする（４）に記載の遊技機。
（６）前記係止爪部は前記枠体に回動可能に設けられると共に、前記係止爪部を回動することで前記凹部に挿入される係合位置と前記凹部から外れた非係合位置とに変化するように構成され、
前記保護部材が前記枠体に正規の位置で固定されていない状態では前記係止爪部が前記係合位置へ回動困難となるように構成されていることを特徴とする（５）に記載の遊技機。
（７）前記透明部は前記保護枠部の前面側と背面側とに取り付けられた２重構造となっていることを特徴とする（３）から（６）の何れか一に記載の遊技機。
（８）前記保護枠部と前記枠体の何れか一方には位置決め突起が設けられ、他方には前記嵌合用突部と前記溝部の嵌合状態で前記位置決め突起が挿入して係合する位置決め穴が設けられ、
前記位置決め穴は、前記嵌合用突部と前記溝部の嵌合状態から嵌合を解除可能な位置まで前記保護部材を上方へ移動させることが可能な長穴形状で形成されていることを特徴とする（３）から（７）の何れか一に記載の遊技機。
【００５９】
前記（１）から（８）の構成としたことにより、以下の効果を奏する。
（１）によれば、保護部材を吊り下げた状態で保護部材を自重により、あるいは押すことにより枠体側へ揺動させると、嵌合用突部の表面と溝部の外壁面の少なくとも一方に形成されている傾斜面によって嵌合用突部が溝部に容易に嵌合し、保護部材の下部が前記嵌合によって枠体に保持された状態となり、保護部材を安定して吊り下げた状態で容易に取り付け、固定することが可能となる。
【００６０】
（２）によれば、保護部材が前記枠体に吊り下げ状態とされて嵌合用突部と溝部が嵌合した状態で保護部材を枠体とで挟持固定する固定部を備え、固定部は、枠体に設けられた係止部材と、保護部材に設けられ前記係止部材と枠体とで挟持される係止部とよりなるため、保護部材を吊り下げ、嵌合用突部を溝部に嵌合させた安定した吊り下げ状態で容易に固定することが可能となると共に容易な構成で保護部材を構成することが可能となる。さらに、保護部材を枠体に取り付ける（配置する）際、係止部材が開放位置で係止されるため、自重等で固定位置に回動して保護部材の取り付けを妨げるおそれを防止することが可能となる。
【００６１】
（３）によれば、透明部に触れないようにして保護部材を枠体に取り付けることが可能となり、透明部を手の脂等で汚してしまうようなことが無くなり、また取り付けを容易に行うことが可能となる。
【００６２】
（４）によれば、透明部に触れないようにして保護部材を枠体に取り付けることが可能となり、透明部を手の脂等で汚してしまうようなことが無くなり、また取り付けを容易に行うことが可能となると共に複数の係止部の存在によって、より強固に保護部材を枠体に固定することが可能となる。
【００６３】
（５）によれば、保護枠部の側面には凹部が形成され、枠体には保護部材が吊り下げ状態とされて嵌合用突部と溝部が嵌合し、前記保護部材の係止部が前記係止部材と前記枠体とで挟持固定された状態で凹部に挿入される係止爪部が設けられていることから、固定に必要なスペースを小さくでき、狭いスペースでも固定が可能となる。
【００６４】
（６）によれば、係止爪部は枠体に回動可能に設けられると共に、係止爪部を回動することで凹部に挿入される係合位置と凹部から外れた非係合位置とに変化するように構成され、保護部材が枠体に正規の位置で固定されていない状態では係止爪部が係合位置へ回動困難となるように構成されていることから、保護部材が正規の位置で固定されているかどうかを確認することが可能となり、正しく取り付けられていない等の不具合を発見し易くすることが可能となる。
【００６５】
（７）によれば、透明部は保護枠部の前面側と背面側とに取り付けられた２重構造となっていることから、保護部材をより強固に構成することが可能となる。
【００６６】
（８）によれば、位置決め突起と位置決め穴により、保護部材を取り付ける際には位置決めし易くなり、また取り外す際には保護部材を持ち上げる高さを規制することができ、保護部材を持ち上げすぎて他の遊技機部材と接触してしまうような不具合を防止することが可能となる。
【００６７】
本発明は、前記の実施例に限定されるものではなく、発明の趣旨を逸脱しない範囲で変更可能である。また、本発明はパチンコ遊技機に限定されるおのではなく、枠体と保護部材を有する遊技機であれば、適用可能なものである。
【図面の簡単な説明】
【００６８】
【図１】本発明の一実施例に係る遊技機全体を示す正面図である。
【図２】同遊技機の分解背面斜視図である。
【図３】ガラス扉の斜視図である。
【図４】ガラス扉の分解斜視図である。
【図５】背面側枠部材の斜視図である。
【図６】溝部付近のＡ部拡大斜視図である。
【図７】溝部におけるＢ−Ｂ断面図である。
【図８】背面側枠部材の部分斜視図である。
【図９】前記係止部材の拡大斜視図である。
【図１０】保護部材の斜視図である。
【図１１】図１０のＣ−Ｃ断面図である。
【図１２】保護部材の吊り下げ状態での取り付け時を示す斜視図である。
【図１３】保護部材の吊り下げ状態での取り付け時を示す断面図である。
【図１４】保護部材が取り付けられたガラス扉の背面図である。
【図１５】係止部材による固定時を示すガラス扉の部分背面図である。
【図１６】係止部材の開放位置係止部への係止時を示す断面図である。
【図１７】凹部への係止部材の挿入時を示す部分斜視図である。
【図１８】保護部材の取り外し時を示すガラス扉の背面図である。
【符号の説明】
【００６９】
１  遊技機
２  遊技盤
１０  表示装置
４５  大入賞口
６４  発射装置
１０１  ガラス枠体（本発明の枠体）
１０２  ガラス枠体の開口部
１２４  吊り下げ支持部
１２５  溝部
１２７  傾斜面
１３１  固定部の係止部材
１３２  係止部材の固定部分
１３５  係止部材の回動用操作部分
１３６，１３８  開放位置係止部
１４１  係止爪部
１４７  位置決め突起
１５１  保護部材
１５２  透明部
１６１  保護枠部
１６５  吊り下げ係止部（本発明の被支持部）
１６７  嵌合用突部
１６９，１７５  固定部の係止部
１７１  位置決め穴
１７３  凹部
１７７  指掛け部
Ｆ４  ガラス扉
【図１】
2009056064.tif 000003
【図２】
2009056064.tif 000004
【図３】
2009056064.tif 000005
【図４】
2009056064.tif 000006
【図５】
2009056064.tif 000007
【図６】
2009056064.tif 000008
【図７】
2009056064.tif 000009
【図８】
2009056064.tif 000010
【図９】
2009056064.tif 000011
【図１０】
2009056064.tif 000012
【図１１】
2009056064.tif 000013
【図１２】
2009056064.tif 000014
【図１３】
2009056064.tif 000015
【図１４】
2009056064.tif 000016
【図１５】
2009056064.tif 000017
【図１６】
2009056064.tif 000018
【図１７】
2009056064.tif 000019
【図１８】
2009056064.tif 000020